(57)【特許請求の範囲】
【請求項１】
カバー（２）と共に結束された複数の紙のページ（１）を含み、複数の略垂直線及び／又は略水平線が前記ページ（１）に印刷されたノートにおいて、
前記略垂直線及び／又は前記略水平線は、互いに整列された複数のドット（５）によって形成され、前記複数のドット（５）は、０．２１ｍｍから０．３５ｍｍまでの間に含まれる最大寸法、特に直径を有し、同じ線の２つの隣接したドット（５）の間の距離は、０．４３ｍｍから０．７ｍｍまでの間に含まれ、前記ドット（５）の色は、前記ページ（１）の色より暗く、前記ページ（１）の前記色の４つの４色印刷ＣＭＹＫ値の和は、０から２０までの間、特に１０から２０までの間に含まれ、Ｋ値は１０より小さく、前記ドット（５）の前記色の４つのＣＭＹＫ値の和は、１５から５０までの間、特に２５から４０までの間に含まれ、値Ｋは４０より小さいことを特徴とする、ノート。
【請求項２】
前記ドット（５）の前記色のＣＭＹＫ値の和と前記ページ（１）の前記色のＣＭＹＫ値の和との間の差は、１０より大きいことを特徴とする、請求項１に記載のノート。
【請求項３】
前記ドット（５）の前記色の４つのＣＭＹＫ値は、０／３／６／１６から０／５／１１／２３までの間に含まれることを特徴とする、請求項１又は２に記載のノート。
【請求項４】
所定の形とされた外形を有する及び／又は上に印刷されたグラフィック・シンボル（９）を含む少なくとも１つの粘着ラベル（７、８）を含む少なくとも１つのシート（６）が設けられることを特徴とする、請求項１〜３のいずれか一項に記載のノート。
【請求項５】
前記少なくとも１つの粘着ラベル（７）は、矢印形状の外形及び／又はグラフィック・シンボルを有することを特徴とする、請求項４に記載のノート。
【請求項６】
前記粘着ラベル（７、８）及び／又はそれらのグラフィック・シンボル（９）の色の４つのＣＭＹＫ値の和は、５０から１５０までの間、特に７０から１５０までの間に含まれ、前記Ｋ値は５０より小さいことを特徴とする、請求項４又は５に記載のノート。
【請求項７】
前記ページ（１）に及び／又は前記カバー（２）に印刷又は付着されたコード（１０）が設けられることを特徴とする、請求項１〜６のいずれか一項に記載のノート。
【請求項８】
メモ（１２）をデジタル化するための方法において、
請求項１〜７のいずれか一項に記載のノートの少なくとも１つのページ（１）に少なくとも１つのメモ（１２）を書くステップと、
デジタルカメラを用いて前記ページ（１）を撮影するステップと、
前記デジタルカメラによって撮影された前記ページ（１）のデジタル画像を処理して、前記メモ（１２）をデジタル・データに変換するステップと
を含むことを特徴とする方法。
【請求項９】
前記ページ（１）を撮影する前に、少なくとも１つの粘着ラベル（７、８、１１）を前記ページ（１）に付着させることにより、前記ページ（１）の前記デジタル画像を処理するとき、前記粘着ラベル（７、８、１１）が、少なくとも１つのデジタル・コマンドに変換されることを特徴とする、請求項８に記載の方法。
【請求項１０】
前記粘着ラベル（７）が矢印である及び／又は矢印を含む場合、前記メモ（１２）のうち前記矢印が指し示す部分のデータは、前記ページ（１）の前記デジタル画像を処理するとき、前記メモ（１２）に対応するデータの残りから抽出されることを特徴とする、請求項９に記載の方法。
【発明の詳細な説明】
【技術分野】
【０００１】
本発明は、ノートのページに取ったメモのデジタル化に特に適したノートに関する。本発明はまた、前述のノートを用いてメモをデジタル化するための方法にも関する。
【背景技術】
【０００２】
メモをデジタル化するための既知の方法においては、ユーザは、デジタルカメラでノートのページ上のメモを撮影した後、ローカル・コンピュータ又は遠隔コンピュータによってこのページのデジタル画像を処理し、メモをデジタル・データに変換する。これらの既知の方法は、手書きのメモに不可避の低いグラフィック品質のみならず、デジタルカメラによって撮影されたノートのページの画像内に生じる色収差、歪み、位置合わせ不良、明るさのばらつき、及び／又は他のエラーにも起因するメモの変換エラーに悩まされる。
【０００３】
実際のところ、デジタルカメラを用いたノートのページの変換は、スキャナによって獲得した、単一のページ、即ち結束されていないページに書かれたメモの変換用に使用されるものとは実質的に異なるメモ変換用アルゴリズムを必要とし、単一のページは、その変換中、静止したまま及び平らであり、スキャナと密着状態にあるので、前述の変換エラーが存在しないが、この変換は、結束により屈曲する傾向があり、デジタルカメラに対して、明るさ、距離及び角度のばらつきが常にあるノートのページの撮影によっては可能でない。これらの欠点を克服するために、変換アルゴリズムは、既知の縞模様又は格子縞のノートに存在する水平線及び／又は垂直線を利用できるが、この場合、線がメモと混同されることも又はその逆の場合もあり、さらなる変換エラーがもたらされる。
【発明の概要】
【発明が解決しようとする課題】
【０００４】
従って、本発明の目的は、このような欠点のない、メモをデジタル化するための方法を提供することである。前述の目的は、その主な特徴がそれぞれ請求項１及び８に明記され、他の特徴は残りの請求項に明記されるノート及び方法を用いて達成される。
【課題を解決するための手段】
【０００５】
特定の色、サイズ及び距離を順に有するドット（点）によって形成される特定の線のおかげで、本発明によるノートを有利に用い、既知のノート及び方法と比較してはるかに正確な方法で、データに変換可能なメモを取ることができる。実際、これらの特定の線は、困難な照明及び配向条件でもメモと混同されないので、メモを整った形で書くためだけではなく、ノートのページの結束又は傾斜に起因するあらゆる変換エラーを修正するための案内グリッドとしての役割を担う。
【０００６】
本発明の特定の態様によると、ノートは、メモと共にデジタル・コマンドに変換することができる特殊な粘着ラベルのシートを備える。この構成を用いると、ノートは、電気素子又は電子素子がなくても、データだけでなく、コマンドの完全な入力デバイスに変換され、これにより、経験の浅いユーザが、電子デバイス及びシステム（スマートフォン、タブレットＰＣ、データ・サーバ、クラウド及びウェブ・アプリケーション等）と高度な方法で対話すること、特に、これらのシステムにログインすること若しくはこれらを作動させること、又は獲得したデータのカタログを作成すること及び／又はフォーマットすることも可能になり、従って、獲得したデータをローカル及び／又は遠隔データベースに容易に格納することができる。
【０００７】
本発明はまた、ページ、線及びラベルの色の特定の範囲の値にも関し、これは、撮影される画像の変換精度、即ち、ノートのページ上のメモ、線、粘着ラベル及び光反射の間で起こり得る相互混同に起因するエラーの減少に関して、予期しない驚くべき結果をもたらした。
【０００８】
本発明によるノート及び方法のさらなる利点及び特徴は、添付図面を参照して、その実施形態の以下の詳細で限定されない説明から、当業者には明らかになるであろう。
【図面の簡単な説明】
【０００９】
【図１】閉じたノートの上面図を示す。
【図２】図１のノートの側面図を示す。
【図３】開いたときの図１のノートの上面図を示す。
【図４】図３の拡大した詳細ＩＶを示す。
【図５】粘着ラベルのシートを示す。
【図６】図１のノートのページの詳細を示す。
【図７】幾つかのメモ及びラベルを有した状態の図３のノートを示す。
【発明を実施するための形態】
【００１０】
図１〜図３を参照すると、ノートが、ノートを閉じたままにするための弾性テープ３を設けることができるカバー２と共に結束された複数の紙のページ１を含むことが分かる。ノートは、ブックマーク４を含むこともできる。複数の略垂直線及び／又は略水平線が、ページ１上に印刷される。
【００１１】
同様に図４を参照すると、前述の略垂直線及び／又は略水平線は、０．２１ｍｍから０．３５ｍｍまでの間に含まれる最大サイズ、特定的には直径を有する、互いに整列された複数のドット５によって形成されることが分かる。同じ線の２つの隣接したドット５の間の距離は、０．４３ｍｍから０．７ｍｍまでの間に含まれる。ドット５の色は、ページ１の色よりも暗い。ページ１の色は、白色、又は白色に見える色、具体的には象牙色、明るいベージュ又はバニラ、好ましくは色番号ＰＡＮＴＯＮＥ  １１−０１０４  ＴＰＸである。ページ１の色の４つの４色印刷ＣＭＹＫ値（シアン、マゼンタ、イエロー及びブラックの百分率）の和が、０から２０までの間、特定的には１０から２０までの間に含まれ、第４の値Ｋ（ブラック）は、１０より小さい。代わりに、ドット５の色の４つのＣＭＹＫ値の和は、１５から５０までの間、特定的には２５から４０までの間に含まれ、第４の値Ｋ（ブラック）は、４０より小さい。ドット５の色のＣＭＹＫ値の和とページ１の色のＣＭＹＫ値の和のとの間の差は、１０より大きい。ドット５の色の４つのＣＭＹＫ値は、０／３／６／１６から０／５／１１／２３までの間、即ち色番号ＰＡＮＴＯＮＥ４００Ｕから４０１Ｕまでの間に含まれることが好ましい。
【００１２】
図５を参照すると、ノートは、シート６から取り外し、ノートのページ１に付着させることができる少なくとも１つの粘着ラベル７、８を含む、少なくとも１つのシート６も備えることが分かる。粘着ラベル７、８は、所定の形に作られた外形を有する及び／又は該ラベルに印刷されたグラフィック・シンボル９（少なくとも１つの図及び／又は英文字数字）を含む。特に、少なくとも１つの粘着ラベル７は、矢印形状の外形及び／又はグラフィック・シンボルを有する。粘着ラベル７、８及び／又はそれらのグラフィック・シンボル９の色の４つのＣＭＹＫ値の和は、５０から１５０までの間、特に７０から１５０までの間に含まれ、第４の値Ｋ（ブラック）は５０より小さく、好ましくは、色番号Ｐａｎｔｏｎｅ  １０９、１４９５、２３２、２６６５、３１９、３７６及びＰｒｏｃｅｓｓ  Ｂｌｕｅである。
【００１３】
図６を参照すると、ノートは、好ましくは、ページ１（ドット５がないこともある）に及び／又はカバー２に印刷されたコード１０、特定的には英文字数字のシーケンスも備えることが分かる。特に、コード１０は、粘着ラベル１１に印刷され、この粘着ラベル１１は、ノートのページ１に及び／又はカバー２に付着される。
【００１４】
メモをデジタル化する方法は、
ノートの少なくとも１つのページ１に少なくとも１つのメモ１２を書くステップと、
ページ１に少なくとも１つの粘着ラベル７、８を付着するステップと、
スマートフォン又はタブレットＰＣ等の別のデジタル機器内に組み込むことができるデジタルカメラ（図には示されない）を用いてページ１を撮影するステップと
を含む。
【００１５】
次に、前述のデジタルカメラによって撮影されたページ１のデジタル画像をコンピュータ（スマートフォン、タブレット、ノートブック、ＰＣ、ウェブ・サーバ等）によりデジタル処理して、メモ１２をデジタル・データに、そして粘着ラベル７、８を、メモ１２の内容の分類コマンド（仕事、旅行、家庭等）といったメモ１２と関連した少なくとも１つのデジタル・コマンドに変換する。
【００１６】
粘着ラベル７が矢印である及び／又は矢印を含む場合、メモ１２のうち矢印７が指し示す部分のデータが、コンピュータによって、メモ１２に対応するデータの残りから、例えばデータベースの別個のフィールド（タイトル、テーマ、アドレス等）内への記憶のために、抽出される。
【００１７】
前述の方法の予備的ステップにおいて、ユーザはコード１０を撮影し、次に、このコードを走査して、固有のデジタル・コマンド、特にメモ１２及びラベル７、８の上記のデジタル処理を行うのに適したウェブ・サービスの起動及び／又は登録の固有コマンドをコンピュータに提供する。
【００１８】
当業者により、以下の特許請求の範囲を逸脱しない、本明細書に説明され例証される実施形態に対して、可能な変形及び／又は追加をなすことができる。特に、本発明のさらに別の実施形態は、以下の特許請求の範囲のうちの１つの技術的特徴を含むことができ、本文に説明され及び／又は図に示される、単独で又はいずれかを相互に組み合わせた形で得られる少なくとも１つの技術的特徴の付加を伴うことができる。
【図１】
0006296455.tif 000002
【図２】
0006296455.tif 000003
【図３】
0006296455.tif 000004
【図４】
0006296455.tif 000005
【図５】
0006296455.tif 000006
【図６】
0006296455.tif 000007
【図７】
0006296455.tif 000008